(57)【要約】【課題】  低コスト且つコンパクトにできる保護回路構成に特徴を持つ、インバータ装置を提供する。【解決手段】    インバータ装置において、低圧側電極に流れるランプ電流を検出し、検出したランプ電流を複数の蛍光管において合成し、合成したランプ電流を基準電流と比較し低い時に、保護回路を動作させてインバータ装置を停止させる。このとき、複数の蛍光管駆動に用いる保護回路をまとめるとコスト低減が図れる。【選択図面】  図２
2005317294.tif 000002
【特許請求の範囲】
【請求項１】
蛍光管を駆動するインバータ装置において、低圧側電極に流れるランプ電流を検出し、検出したランプ電流を複数の蛍光管において合成し、合成したランプ電流を基準電流と比較し低い時に、インバータ装置を停止させる保護回路を具備することを特徴とするインバータ装置。
【請求項２】
前記ランプ電流の異常検出は、低圧側電極とグランドとの間の電流検出用抵抗と、前記電流検出用抵抗の電極側の電圧を整流する整流回路により、前記整流回路の出力する整流電圧をフィードバック電圧として入力し、蛍光管が正常時のフィードバック電圧と異常時のフィードバック電圧を比較し、予め峻別できる値を基準値として設定し、フィードバック電圧の入力値が基準値より低くなったときにインバータ装置を停止させる比較器を具備することを特徴とするインバータ装置。
【請求項３】
液晶ディスプレイに用いる蛍光管の異常検出において、蛍光管２本又は３本で合成することを特徴とする請求項１又は請求項２のインバータ装置。
【発明の詳細な説明】
【技術分野】
【０００１】
本発明は、蛍光管を駆動するインバータ装置に関する。
【背景技術】
【０００２】
バックライト用インバータでは、インバータ出力部が短絡した場合などの出力異常時の発煙、発火を防止するために回路素子を保護する保護回路が設けられている。
【０００３】
特許文献１のバックライト用インバータでは、蛍光管破損時にインバータ回路を停止させてインバータ回路の継続動作を防止し、回路素子を保護している。
【０００４】
【特許文献１】特開２００２-３４３５９３
【発明の開示】
【発明が解決しようとする課題】
【０００５】
従来のインバータ装置では、蛍光管1本に対して、保護回路が1回路使われている。これらは、確実に動作させることを考慮していた。
しかし、同じ回路が蛍光管の本数分あることは、無駄であるとも言える。
【０００６】
本発明者は、蛍光管の本数分あった保護回路をまとめることによりコスト低減を図り、且つ、保護回路が確実に動作できる方法を見出し、本発明に想達した。
【０００７】
したがって、本発明の目的は、保護回路をまとめることによりコスト低減を図りながら、尚且つ、保護回路が確実に動作するインバータ装置を提供することにある。
【課題を解決するための手段】
【０００８】
本発明にかかるインバータ装置によれば、蛍光管を駆動するインバータ装置において、低圧側電極に流れるランプ電流を検出し、検出したランプ電流を複数の蛍光管において合成し、合成したランプ電流を基準電流と比較し低い時に、インバータ装置を停止させる保護回路を具備することを特徴としている。
【０００９】
この構成により蛍光管毎にあった保護回路をまとめることができ、部品点数を少なくすることによるコスト低減が図れる。また、保護回路としての動作も確実に行われる。
【００１０】
また、前記ランプ電流の異常検出は、低圧側電極とグランドとの間の電流検出用抵抗と、前記電流検出用抵抗の電極側の電圧を整流する整流回路により、前記整流回路の出力する整流電圧をフィードバック電圧として入力し、蛍光管が正常時のフィードバック電圧と異常時のフィードバック電圧を比較し、予め峻別できる値を基準値として設定し、フィードバック電圧の入力値が基準値より低くなったときにインバータ装置を停止させる比較器を具備することを特徴としてもよい。
【００１１】
なお、液晶ディスプレイに用いる蛍光管の異常検出において、蛍光管２本又は３本で合成することを特徴としてもよい。
【発明の効果】
【００１２】
本発明によれば、従来よりも安価で実用上遜色のない保護回路動作をもつ液晶ディスプレイ用インバータ装置が実現できる。コスト低減は、保護回路の統合による部品点数削減のみではなく、基板面積の縮小による効果も得られる。
【００１３】
液晶ディスプレイに用いる蛍光管の異常検出において、蛍光管２本又は３本で合成することを特徴とした場合、異常の蛍光管を特定するときの不便さを感じないで、尚且つ、コスト削減の効果が得られる。
【発明を実施するための最良の形態】
【００１４】
バックライトとして使用している蛍光管の内のいずれか１本が破損した場合に、統合されて出力される出力信号と基準値を比較し、異常であると判断したときにインバータ装置を停止させ、回路素子を保護する。
【００１５】
前記の異常判断は、予めフィードバック電圧の入力値の正常値と異常値を比較し、異常が判断でき、誤動作しないような値で閾値を設定しておく。フィードバック電圧の入力値が閾値を下回ったときを異常とすることにより異常と判断する。
【実施例】
【００１６】
以下、発明の実施例を図に基づいて説明する。図１は、本発明の実施例としてインバータ装置の回路を示している。本回路は、ランプ異常検出回路に特徴をもつ。
【００１７】
図２は、３灯型のインバータ装置の例である。従来技術では、蛍光管毎に比較器による異常検出を行っている。本発明では、図１のインバータ装置の回路を採用することで、ランプ電流の合成を行うことができる。
【００１８】
ランプ異常検出回路は、電流検出、整流、フィードバック合成入力、比較で構成される。基本構成は従来技術と同じであるが、フィードバック入力が合成入力であることを特徴とする。
【００１９】
入力合成は、使用する蛍光管すべてを１つに統合し合成することのみを想定しているものではなく、２つ以上に合成する場合も含んでいる。例えば、６本の蛍光管を使用する場合、３本を合成しフィードバック入力を２系統としてもよい。設計的制約により、２系統に分けると都合が良い場合もあるため、前記のようにフィードバック入力を２系統以上としても本発明の精神から外れるものではない。
【００２０】
電流検出は、電流検出抵抗Ｒ１を低圧側電極とグランドとの間に配置し、電圧に変換する。
【００２１】
整流は、電流検出抵抗Ｒ１と並列に配置された抵抗Ｒ２と、Ｄ１、Ｄ２で構成される整流回路である。
【００２２】
フィードバック合成入力は、整流回路出力を合成し、合成後にフィードバック抵抗Ｒ３を介して比較器（コンパレータ）への入力となる。
【００２３】
比較は、比較器において前記入力を比較する。比較器の比較電圧端子（＋）に前記フィードバック合成入力を与える。比較器の比較電圧端子（−）には基準電圧Ｖ０が常に与える。
【００２４】
これにより、蛍光管が破損したときに、電流検出（ランプ電流）がＡ１からＡ２に低下し、比較器への入力電圧Ｖ（フィードバック合成入力）がＶ１からＶ２に低下する。異常時の比較器入力電圧Ｖ２は、基準電圧よりも低くなる。前記のように基準電圧よりも低くなった場合は、比較器の出力はＬＯとなりスイッチング素子Ｑ１をＯＦＦにし、Ｑ１の発信を停止する。
【００２５】
一方、正常な場合には、電流検出ＡはＡ１であり、比較器への入力電圧ＶはＶ１である。Ｖ１は、基準電圧より高く、比較器の出力はＨＩとなる。比較器の出力がＨＩの場合、スイッチング素子Ｑ１はＯＮであり、Ｑ１の発信がある（停止しない）。
【００２６】
基準電圧Ｖは、前記のように正常値より低く、且つ、異常よりも高くなる値になるように、予め最適な値を割り出しておく。
【００２７】
インバータ装置の点灯回路に異常があり、ランプが点灯しない場合についても前記同様の異常検出ができ、Ｑ１からの発信を停止させることができる。例えば、点灯回路の一部が短絡により接地されてしまった場合、ランプ電流が低下し異常として検出される。また、点灯回路の一部が断線により開放されてしまった場合も、ランプ電流が低下し、異常として検出される。
【産業上の利用可能性】
【００２８】
本発明のインバータ装置は、液晶ディスプレイのバックライト駆動に利用することで、これまでよりもコストを低減することができる。
液晶ディスプレイはコンピュータの表示装置として使用されることが一般的であったが、近年は液晶テレビも兼ねることもある。当然、液晶テレビの専用機も存在する。本発明は、コンピュータ用ディスプレイのみではなく、液晶テレビにおいても同様の効果が得られる。
液晶ディスプレイ以外の蛍光管をバックライトとして用いる装置においても、本発明を利用できる場合が多いと言える。特に蛍光管の交換作業が一般ユーザではなく専門知識を有する人が行う商品に適している。
【００２９】
以上、本発明について好適な実施例を挙げて説明した。本発明はこの実施例に限定するものではなく、発明の精神を逸脱しない範囲内で改変を施し得るのはもちろんである。
【図面の簡単な説明】
【００３０】
【図１】１灯型のインバータ装置である。
【図２】３灯型のインバータ装置である。
【符号の説明】
【００３１】
１，１a，１b，１c ： 蛍光管
２ ： トランス
３ ： 比較器（コンパレータ）
４，５ ： 基準電圧
Ｑ１，Ｑ２ ： スイッチング素子
Ｄ１，Ｄ２，Ｄ１a，Ｄ２a，Ｄ１b，Ｄ２b，Ｄ１c，Ｄ２c  ： ダイオード
Ｒ１，Ｒ２，Ｒ１a，Ｒ２a，Ｒ１b，Ｒ２b，Ｒ１c，Ｒ２c，Ｒ３  ： 抵抗
Ｖ ： 比較器への入力電圧
Ａ ： ランプ電流
【図１】
2005317294.tif 000003
【図２】
2005317294.tif 000004